(57)【要約】【課題】ユーザに観光スポットの位置を容易に把握させ、さらに、観光スポットに気付かずに通り過ぎることを防止するデジタルカメラを提供する。【解決手段】デジタルカメラ２は、観光スポットの周辺の地図データを含む無線信号をアンテナ１３で受信し、無線通信Ｉ／Ｆ７５でアンテナ１３が受信した無線信号から観光スポットの周辺の地図データを読み出し、この地図データを基にして観光スポットの周辺の地図を液晶画面１７に画像表示する。また、デジタルカメラ２が観光スポットに接近し、無線信号を受信したときには、スピーカ１４からビーコン音が鳴るか、振動モータ７７が動作することで、ユーザに観光スポットが近いことを通知する。【選択図】        図４
2004297175.tif 000002
【特許請求の範囲】
【請求項１】
イメージセンサからの撮像信号に基づいて被写体の画像を表示する電子表示器を備えたデジタルカメラにおいて、
特定エリア内に属する特定のスポットから無線で発信される前記特定スポット周辺の地図データを含む案内情報を受信する受信装置と、この受信装置で受信した案内情報に基づき、前記電子表示器に特定スポット周辺の地図を表示する表示制御手段とを備えたことを特徴とするデジタルカメラ。
【請求項２】
前記案内情報の受信に応答して着信報知を行う報知手段を備えたことを特徴とする請求項１記載のデジタルカメラ。
【発明の詳細な説明】
【０００１】
【発明の属する技術分野】
本発明はデジタルカメラに関し、詳しくは観光地やテーマパーク内で使用したときに、お薦めの撮影スポットで撮影の機会を逃すことがないようにしたデジタルカメラに関するものである。
【０００２】
【従来の技術】
【特許文献１】
実開平６−６９９５５号公報
【０００３】
スチル画像あるいは動画撮影用、さらにはスチル・動画兼用型など様々な撮影機能をもったデジタルカメラが普及している。また、カメラの形態としても、通常の携帯型のものだけでなく、携帯電話に組み込まれたものもその普及が著しい。こうした背景の元、観光地やテーマパーク内などの特定エリア内でデジタルカメラを使用する機会も多くなってきている。ところが、このような特定エリアに関する情報が不十分であると、時として著名な撮影スポットで撮影する機会を逸してしまうことも少なくない。
【０００４】
このため、観光地やテーマパークでは案内用のパンフレットを配布したり、入り口に案内板を設けたりしている。また、特定の観光地で使用されることを前提にして、レンズ付きフイルムユニットの包装袋にその観光地の案内地図を印刷しておくことが特許文献１に記載されている。その案内地図の中に撮影に適した特定スポットも併せて表示しておけば、そこでの撮影の機会を逸することも少なくなり便利である。
【０００５】
【発明が解決しようとする課題】
しかし、案内板は限られた箇所にしか設置されていないのでいつでも見られるわけではない。また、案内パンフレットや開封済みの包装袋を持ち歩くことは煩わしく、しかも特定の撮影スポットに近づいたときに常にチェックできるわけでもない。さらに、レンズ付きフイルムユニットの包装袋に案内地図を印刷した場合、別の特定エリアでは新たなレンズ付きフイルムユニットを購入しなければならない。
【０００６】
本発明は、上記の問題を解決するためになされたものであり、その目的は、ユーザに観光スポットの位置を容易に把握させ、さらに、観光スポットに気付かずに通り過ぎることを防止するデジタルカメラを提供することにある。
【０００７】
【課題を解決するための手段】
上記目的を達成するために、本発明のデジタルカメラでは、特定エリア内に属する特定のスポットから無線で発信される前記特定スポット周辺の地図データを含む案内情報を受信する受信装置と、この受信装置で受信した案内情報に基づき、前記電子表示器に特定スポット周辺の地図を表示する表示制御手段とを備えるようにした。
【０００８】
また、案内情報の受信に応答して着信報知を行う報知手段を備えるようにした。
【０００９】
【発明の実施の形態】
図１に本発明を実施したデジタルカメラの斜視図を示す。デジタルカメラ２の上面には、電源スイッチ４が設けられており、このスイッチをスライド移動させて電源のＯＮ／ＯＦＦを行う。そのとなりには、シャッタボタン６が備えられている。シャッタボタン６の反対側には、撮像においてストロボのＯＮ／ＯＦＦを切り替えるストロボボタン７が備えられている。デジタルカメラ２の前面には、被写体をとらえる撮影レンズ８が露出している。撮影レンズ８の上方には対物ファインダ窓９が設けられ、その側方にはストロボ１２が設けられている。
【００１０】
筐体の側面にはアンテナ１３が伸縮自在に備えられている。このアンテナ１３は、観光スポットに設置された無線送信機から発信された所定の無線信号を受信するためのものである。この無線信号は、あらかじめ観光スポットに設置された無線送信機から発信されるものであり、観光スポットの案内情報である。この案内情報である無線信号には観光スポット周辺の地図データが含まれている。アンテナ１３の下にはスピーカ１４が備えられ、無線送信機から送信された無線信号を受信して、音を発するようになっている。これによりデジタルカメラ２の使用者は、観光スポットに接近したことを認識することができる。
【００１１】
図２にデジタルカメラ２の背面の斜視図を示す。背面の図中左上には被写体を確認するための接眼ファインダ窓１５が設けられており、その横には、デジタルカメラ２の各種設定が行えるモードダイヤル１６が備えられている。モードダイヤル１６の下には液晶画面１７が設けられ、スルー画像や撮像した被写体画像などが表示される。また、メニューを選択する必要があるときは、モードダイヤル１６の横にある選択ボタン１８を用いて選択する。メニューの選択が終了したら実行ボタン２０を押しメニューを実行に移す。実行ボタン２０のとなりには取り消し動作を命令するキャンセルボタン２２が備えられ、さらにそのとなりには、液晶画面１７の表示／非表示を切り替える表示ボタン２４が設けられている。
【００１２】
図３に観光スポットに設置された無線送信機のブロック図を示す。この無線送信機３０はあらかじめ観光スポットに設置されているものであり、他の観光スポットに設置されている無線送信機の構造も同様である。ＲＯＭ３２には、無線送信機が設置された場所の周辺の地図を画像表示させるための地図データが記憶されている。ＲＯＭ３２の地図データはメモリ３４に一時的に蓄積され、その後、無線通信Ｉ／Ｆ３６に入力される。ここで地図データは無線信号に変調され、アンテナ３８から外部に送信される。また、無線送信機３０の一連の動作は、ＣＰＵ４０により制御されている。
【００１３】
無線信号を受信できるサービスエリアはあらかじめ決まっており、デジタルカメラ２は、このサービスエリア内にあるとき、無線信号を受信することができる。無線信号を受信したデジタルカメラ２は、無線信号を復調して地図データを読み出して、この地図データから作成した地図を画像表示する。
【００１４】
図４に本発明が実施されたデジタルカメラ２のブロック図を示す。撮影レンズ８は、ズーム用の変倍レンズ、フォーカスレンズ、絞り、及び駆動モータを含んでいる。撮影レンズ８は、モータドライバ４５よって駆動が制御されている。また、モータドライバ４５は、ＣＰＵ４７によりさらに制御されている。
【００１５】
撮影レンズ８の背後にはＣＣＤイメージセンサ５０が配置され、撮影レンズ８によって結像された被写体像を光電変換する。ＣＣＤイメージセンサ５０は、各セルの電荷蓄積時間を変更することで、露光量を調節する電子シャッタとしての機能を備えている。ＣＣＤイメージセンサ５０は、タイミングジェネレータ５７から入力されたタイミング信号に基づいて動作する。
【００１６】
光電変換によりＣＣＤイメージセンサ５０から出力された電気信号は、相関二重サンプリング回路（以下、ＣＤＳと省略する）５２に入力される。ＣＤＳ５２は、ＣＣＤイメージセンサ５０から入力された信号をＲＧＢの画像信号に変換し、増幅回路（以下、ＡＭＰと省略する）５４に入力する。ＡＭＰ５４でＲＧＢの画像信号は増幅され、アナログ／デジタル変換器（以下、Ａ／Ｄ変換器と省略する）５５でデジタルデータに変換される。生成されたデジタルデータは、画像入力コントローラ５７を介してバッファメモリ５９に書き込まれ、ここに一時的に記録される。
【００１７】
バッファメモリ５９に書き込まれたデジタルデータは、画像処理回路６１に入力され、ここでガンマ補正などの画像処理が施され、画像データが生成される。生成された画像データはバッファメモリ５９に一時的に記録される。バッファメモリ５９に書き込まれた画像データは、ＶＲＡＭ６３や圧縮処理回路６５に入力される。
【００１８】
ＶＲＡＭ６３に書き込まれた画像データはビデオエンコーダ６７に入力される。ビデオエンコーダ６７では、画像データがＮＴＳＣコンポジット信号に変換される。ＮＴＳＣコンポジット信号は液晶画面１７に入力され、液晶画面１７に被写体画像が表示される。
【００１９】
圧縮処理回路６５に入力された画像データは、デジタルカメラ２の画質設定に応じてＪｏｉｎｔ  Ｐｈｏｔｏｇｒａｐｈｉｃ  Ｅｘｐｅｒｔｓ  Ｇｒｏｕｐ（以下、ＪＰＥＧと省略する）の規格に準拠して圧縮される。そして、メディアコントローラ７０に入力される。メディアコントローラ７０に入力された画像データは、記録メディア７２に記録される。このとき画像データはＤＣＦ  （Ｄｅｓｉｇｎ  ｒｕｌｅ  ｆｏｒ  Ｃａｍｅｒａ  Ｆｉｌｅ  ｓｙｓｔｅｍ）規格に準拠した画像ファイルを形成している。
【００２０】
デジタルカメラ２は、モードダイヤル１６の操作により、デジタルカメラ２のモードが静止画を取り込むカメラモードと、撮像した画像を液晶画面１７で確認できるリプレイモードとに切り替えられる。カメラモードのとき、シャッタボタン６が押下されるとシャッタスイッチが閉じて画像の取り込みが開始される。リプレイモードのときは、記録メディア７２からＶＲＡＭ６３に画像ファイルが読み出され、ＮＴＳＣコンポジット信号に変換され、液晶画面１７に被写体画像が表示される。
【００２１】
デジタルカメラ２が無線信号のサービスエリア内にあるとき、アンテナ１３は観光スポットに設置された無線送信機３０から送信された無線信号を受信し、受信された無線信号は無線通信インターフェース（以降、無線通信Ｉ／Ｆと省略する）７５に入力される。無線通信Ｉ／Ｆ７５で無線信号は復調され、無線信号に含まれた観光スポット周辺の地図データが読み出される。地図データはバッファメモリ５９に一時的に蓄積され、その後、ＶＲＡＭ６３に入力されてビデオエンコーダ６７においてＮＴＳＣコンポジットデータに変換される。このＮＴＳＣコンポジットデータが液晶画面１７に入力され、液晶画面１７に観光スポット周辺の地図が表示される。
【００２２】
また、無線信号をアンテナ１３が受信するとともに、ＣＰＵ４７に信号を入力し、ＣＰＵ４７はスピーカ１４に音声信号を入力し、スピーカ１４はビーコン音を発する。また、スピーカ１４から音が出ないようにデジタルカメラ２を消音モードにしているときは、ＣＰＵ４７からの信号の入力に応答して振動モータ７７が動作を行い、デジタルカメラ２が振動するようになっている。このようにして観光スポットに接近したことが使用者に通知される。
【００２３】
次に上記構成の作用について説明する。観光スポットにはあらかじめ無線信号を発信する無線送信機３０が設置されており、発信される無線信号には観光スポット周辺の地図データが含まれている。無線送信機３０から発信された無線信号を受信できるサービスエリアは決まっており、サービスエリア以外では無線信号を受信することできない。また、無線信号は決められたデジタルカメラにしか受信できないように、あらかじめ送受信方式が決められている。
【００２４】
デジタルカメラ２に備えられたアンテナ１３が、無線送信機から発信された無線信号を受信し、受信された信号は無線通信Ｉ／Ｆ７５に入力される。このとき、無線信号の受信とともにＣＰＵ４７に信号が入力され、スピーカ１４からはビーコン音が発せられて観光スポットに接近したことが使用者に通知される。また、スピーカ１４が消音モードになっているときは、振動モータ７７が作動してデジタルカメラ２が振動するようになっている。無線通信Ｉ／Ｆ７５では無線信号が復調され、観光スポット周辺の地図データが抽出される。取り出された地図データはバッファメモリ５９に一時的に記憶され、使用者のボタン操作によりＶＲＡＭ６３に入力される。
【００２５】
ＶＲＡＭ６３に入力された地図データはビデオエンコーダ６７に送られて、ＮＴＳＣコンポジット信号に変換される。このＮＴＳＣコンポジット信号が液晶画面１７に入力され、液晶画面１７には観光スポット周辺の地図が表示される。
【００２６】
液晶画面１７に表示された観光スポット周辺の地図を図５に示す。表示された地図は、無線送信機３０から発信された無線信号から読み出された地図データによって形成されたものであり、観光スポットＡに設置された無線送信機から発信された無線信号より作成されたものである。観光スポットＡの周辺には、観光スポットＢと、観光スポットＣと、観光スポットＤとが存在していることが示されている。
【００２７】
観光スポットＢと、観光スポットＣと、観光スポットＤとからも無線信号が発信されており、液晶画面１７の右には無線信号を受信したリスト８０が表示されている。リスト８０には上下に動かせるカーソル８２が示されている。このカーソル８２を選択ボタン１８で動かし、実行ボタン２０を押して実行すると、選択された観光スポットの周辺の地図データがＶＲＡＭ６３に入力され、液晶画面１７には、選択した観光スポットの周辺の地図が新規に表示される。例えば、カーソル８２をリスト８０の一番下にある観光スポットＤに合わせて実行すると、図６に示すように、観光スポットＤの周辺の地図が表示される。
【００２８】
なお、上記の実施例では、観光スポットＡの周辺にある観光スポットのそれぞれに設置された無線送信機が無線信号を発信するようにしたが、観光スポットＡのみがこの周辺のエリアを代表して無線信号を発信するようにしてもよい。観光スポットＡに設置した発信機がこのエリアを代表して無線信号を発信することにより、周辺の観光スポットに設置する発信機の数を減らすことができ、発信機の設置コストを少なくすることができる。
【００２９】
また、ＧＰＳ（Ｇｌｏｂａｌ  Ｐｏｓｉｔｉｏｎｉｎｇ  Ｓｙｓｔｅｍ）  と、磁気方位センサやジャイロセンサなどのセンサ類とを利用して、現在位置の情報を取得し、液晶画面に表示された地図上に現在位置を表示するようにしてもよい。ＧＰＳ衛星からの位置情報を含んだ電波をアンテナで受信し、無線通信Ｉ／Ｆにおいて復調し、取得した位置データをバッファメモリに記憶する。同時にジャイロセンサと磁気センサとから位置データに関する補正データを取得し、バッファメモリに記録する。そして、ＶＲＡＭに位置データと補正データとを読み出し、ビデオエンコーダを介して液晶画面に現在位置を表示することも可能である。
【００３０】
また、デジタルカメラが無線信号を受信するための通信ソフトや、無線信号を基にしてデジタルカメラの液晶画面に地図を表示するための表示ソフトは、観光スポットの案内所や入口でダウンロードするか、あるいはインターネットで予めダウンロードするようにしてもよい。
【００３１】
また、液晶画面で観光スポットの周辺の地図を確認する代わりに、デジタルカメラのファインダを覗き込んで観光スポットの周辺の地図を確認するようにしてもよい。デジタルカメラ内部に液晶画面を内蔵させ、この液晶画面に観光スポットの周辺の地図を表示し、これをファインダから見ることで、観光スポット周辺の地図を確認することができる。
【００３２】
なお、上記実施形態では、デジタルカメラを示したが、本発明はこれに限らず、カメラ付き携帯電話に実施してもよい。この場合にもカメラ付き携帯電話のアンテナで無線信号を受信し、備え付けの液晶画面に観光スポットの周辺の地図を表示することができる。
【００３３】
【発明の効果】
以上のように、本発明のデジタルカメラによれば、案内情報を受信する受信装置と、受信した案内情報に基づき特定スポット周辺の地図を表示する表示手段とを有することにより、使用者に特定スポットの場所を認識させることができる。このため使用者を特定スポットに容易に到達させることができる。また、特定スポットに接近したことが通知されることにより、特定スポットに気がつかずに通り過ぎることを防止することができる。
【図面の簡単な説明】
【図１】本発明を実施したデジタルカメラの斜視図である。
【図２】図１に示したデジタルカメラの背面の斜視図である。
【図３】観光スポットに設置された無線送信機のブロック図である。
【図４】デジタルカメラのブロック図である。
【図５】読み出した地図データから観光スポットの周辺の地図を液晶画面に表示した説明図である。
【図６】液晶画面に表示された地図上のリストから観光スポットを選択し、液晶画面に選択した観光スポットの周辺の地図を表示した説明図である。
【符号の説明】
２  デジタルカメラ
１３  アンテナ
１４  スピーカ
１７  液晶画面
３０  無線送信機
４７  ＣＰＵ
５９  バッファメモリ
７５  無線通信Ｉ／Ｆ
７７  振動モータ
【図１】
2004297175.tif 000003
【図２】
2004297175.tif 000004
【図３】
2004297175.tif 000005
【図４】
2004297175.tif 000006
【図５】
2004297175.tif 000007
【図６】
2004297175.tif 000008